【手続補正書】
【提出日】平成25年9月12日(2013.9.12)
【手続補正１】
【補正対象書類名】特許請求の範囲
【補正対象項目名】全文
【補正方法】変更
【補正の内容】
【特許請求の範囲】
【請求項１】
情報の出力制御を実行可能な遊技機と、
無線又は有線により情報を送受信可能なユーザ端末と、
ユーザ端末と対応したユーザに関する情報を管理する外部サーバと
を含む遊技機システムであって、
遊技機は、
遊技者によって入力可能な設定開始情報及び設定終了情報を受信する情報入力手段と、
情報入力手段による設定開始情報を受信した後から設定終了情報を受信するまでの期間中において、遊技結果の推移に関する情報を、遊技進行に伴い更新して一時記憶する手段であって、遊技結果の推移に関する情報として、遊技進行に伴い出力され得る演出の種類に対応した数値情報を有し、当該期間中において出力された種類の演出に対応した数値情報を累積して加算し得る遊技進行推移一時記憶手段と、
情報入力手段による設定終了情報を受信した後、遊技進行推移一時記憶手段に一時記憶された遊技結果の推移に関する情報に基づき、コード情報を生成して出力するコード情報出力制御手段と
を有しており、
ユーザ端末は、
遊技機のコード情報出力制御手段により出力されたコード情報を取得するコード情報取得手段と、
外部サーバに対し、コード情報取得手段が取得したコード情報に基づき、コード情報と対応したコード情報対応情報を外部サーバに送信するコード情報対応情報送信制御手段と
を有しており、
外部サーバは、
ユーザ毎に設けられた、当該ユーザの遊技結果の推移に関する情報を一時記憶するユーザ毎遊技結果推移一時記憶手段と、
ユーザ端末のコード情報対応情報送信制御手段からのコード情報対応情報に基づき、遊技結果の推移に関する情報を導出し、現在一時記憶されている当該ユーザの遊技結果の推移に関する情報について、今回導出された遊技結果の推移に関する情報を加味して更新する遊技結果推移情報更新制御手段と、
ユーザ毎遊技結果推移一時記憶手段に一時記憶されている当該ユーザの遊技結果の推移に関する情報に基づき、当該ユーザに係るユーザ端末に対して特典情報を送信する特典情報送信制御手段と
を有しており、
ユーザ端末は、
外部サーバの特典情報送信制御手段から送信された特典情報を受信する特典情報受信制御手段
を更に有する、ユーザが遊技機で遊技することにより蓄積された遊技結果と対応して当該ユーザに特典情報が付与され得る遊技機システムの一部を構成し得る遊技機であって、前記情報入力手段と、前記遊技進行推移一時記憶手段と、前記コード情報出力制御手段とを有することを特徴とする遊技機。
【手続補正２】
【補正対象書類名】明細書
【補正対象項目名】０００３
【補正方法】変更
【補正の内容】
【０００３】
本発明は、遊技媒体に関連しない特典に趣向を凝らすことによって、遊技者の射幸心を煽ることなく遊技機の稼働率向上を図ることを目的としている。
【手続補正３】
【補正対象書類名】明細書
【補正対象項目名】０００４
【補正方法】変更
【補正の内容】
【０００４】
本態様に係る遊技機は、
情報の出力制御を実行可能な遊技機と、
無線又は有線により情報を送受信可能なユーザ端末と、
ユーザ端末と対応したユーザに関する情報を管理する外部サーバと
を含む遊技機システムであって、
遊技機は、
遊技者によって入力可能な設定開始情報及び設定終了情報を受信する情報入力手段と、
情報入力手段による設定開始情報を受信した後から設定終了情報を受信するまでの期間中において、遊技結果の推移に関する情報を、遊技進行に伴い更新して一時記憶する手段であって、遊技結果の推移に関する情報として、遊技進行に伴い出力され得る演出の種類に対応した数値情報を有し、当該期間中において出力された種類の演出に対応した数値情報を累積して加算し得る遊技進行推移一時記憶手段と、
情報入力手段による設定終了情報を受信した後、遊技進行推移一時記憶手段に一時記憶された遊技結果の推移に関する情報に基づき、コード情報を生成して出力するコード情報出力制御手段と
を有しており、
ユーザ端末は、
遊技機のコード情報出力制御手段により出力されたコード情報を取得するコード情報取得手段と、
外部サーバに対し、コード情報取得手段が取得したコード情報に基づき、コード情報と対応したコード情報対応情報を外部サーバに送信するコード情報対応情報送信制御手段と
を有しており、
外部サーバは、
ユーザ毎に設けられた、当該ユーザの遊技結果の推移に関する情報を一時記憶するユーザ毎遊技結果推移一時記憶手段と、
ユーザ端末のコード情報対応情報送信制御手段からのコード情報対応情報に基づき、遊技結果の推移に関する情報を導出し、現在一時記憶されている当該ユーザの遊技結果の推移に関する情報について、今回導出された遊技結果の推移に関する情報を加味して更新する遊技結果推移情報更新制御手段と、
ユーザ毎遊技結果推移一時記憶手段に一時記憶されている当該ユーザの遊技結果の推移に関する情報に基づき、当該ユーザに係るユーザ端末に対して特典情報を送信する特典情報送信制御手段と
を有しており、
ユーザ端末は、
外部サーバの特典情報送信制御手段から送信された特典情報を受信する特典情報受信制御手段
を更に有する、ユーザが遊技機で遊技することにより蓄積された遊技結果と対応して当該ユーザに特典情報が付与され得る遊技機システムの一部を構成し得る遊技機であって、前記情報入力手段と、前記遊技進行推移一時記憶手段と、前記コード情報出力制御手段とを有することを特徴とする遊技機である。
＜付記＞
尚、本態様とは異なる別態様について以下に列記しておくが、これらには何ら限定されることなく実施することが可能である。
本別態様（１）は、
情報の出力制御を実行可能な遊技機（パチンコ遊技機１００）と、
無線又は有線により情報を送受信可能なユーザ端末（移動体通信端末Ｔ１００）と、
ユーザ端末（移動体通信端末Ｔ１００）と対応したユーザに関する情報を管理する外部サーバ（遊技機サーバＶ１００）と
を含む遊技機システム（遊技機システム１０）であって、
遊技機（パチンコ遊技機１００）は、
ユーザを特定するためのユーザ特定情報、遊技結果の監視を開始する旨の監視開始情報及び遊技結果の監視を終了する旨の監視終了情報を入力可能な情報入力手段（演出操作装置４０００）と、
情報入力手段（演出操作装置４０００）により入力されたユーザ特定情報を一時記憶するユーザ特定情報一時記憶手段（ユーザ特定情報一時記憶手段２３２２ｈ−１）と、
情報入力手段（演出操作装置４０００）による監視開始情報を受信した後から監視終了情報を受信するまでの遊技結果の推移に関する情報を、遊技進行に伴い更新して一時記憶する遊技進行推移一時記憶手段（遊技履歴情報一時記憶手段２３２２ｆ−１）と、
情報入力手段（演出操作装置４０００）による監視終了情報を受信した後、ユーザ特定情報一時記憶手段（ユーザ特定情報一時記憶手段２３２２ｈ−１）に一時記憶されたユーザ特定情報と遊技進行推移一時記憶手段（遊技履歴情報一時記憶手段２３２２ｆ−１）に一時記憶された遊技結果の推移に関する情報に基づき、コード情報（ＱＲコード）を生成して出力するコード情報出力制御手段（ＱＲコード発行制御手段２３２２ｇ）と
を有しており、
ユーザ端末（移動体通信端末Ｔ１００）は、
遊技機（パチンコ遊技機１００）のコード情報出力制御手段（ＱＲコード発行制御手段２３２２ｇ）により出力されたコード情報（ＱＲコード）を取得するコード情報取得手段（２次元コード信号撮込制御手段Ｔ１１１１）と、
外部サーバ（遊技機サーバＶ１００）に対し、コード情報取得手段（２次元コード信号撮込制御手段Ｔ１１１１）が取得したコード情報（ＱＲコード）に基づき、コード情報（ＱＲコード）と対応したコード情報対応情報を外部サーバ（遊技機サーバＶ１００）に送信するコード情報対応情報送信制御手段（２次元コード情報移送制御手段Ｔ１１１０）と
を有しており、
外部サーバ（遊技機サーバＶ１００）は、
ユーザ毎に設けられた、ユーザの遊技結果の推移を一時記憶するためのユーザ毎遊技結果推移一時記憶手段（ユーザ毎遊技履歴情報一時記憶手段Ｖ１３１２）と、
ユーザ端末（移動体通信端末Ｔ１００）のコード情報対応情報送信制御手段（２次元コード情報移送制御手段Ｔ１１１０）からのコード情報対応情報に基づき、ユーザ特定情報と遊技結果の推移に関する情報を導出し、当該ユーザに関するユーザ毎遊技結果推移一時記憶手段（ユーザ毎遊技履歴情報一時記憶手段Ｖ１３１２）における遊技結果の推移に関する情報を更新する遊技結果推移情報更新制御手段（ユーザ情報管理手段Ｖ１３１０）と、
ユーザ毎遊技結果推移一時記憶手段（ユーザ毎遊技履歴情報一時記憶手段Ｖ１３１２）に一時記憶されている遊技結果の推移に関する情報に基づき、当該情報に係るユーザに対して特典情報を送信する特典情報送信制御手段（遊技機連動サービス供給制御手段Ｖ１１５０）と
を有しており、
ユーザ端末（移動体通信端末Ｔ１００）は、
外部サーバ（遊技機サーバＶ１００）の特典情報送信制御手段（遊技機連動サービス供給制御手段Ｖ１１５０）から送信された特典情報を受信する特典情報受信制御手段（レスポンス信号受信制御手段Ｔ１１３０）
を更に有する、ユーザが遊技機（パチンコ遊技機１００）で遊技することにより蓄積された遊技結果と対応して当該ユーザに特典情報が付与され得る遊技機システム（遊技機システム１０）の一部を構成し得る遊技機（パチンコ遊技機１００）であって、前記情報入力手段（演出操作装置４０００）と、前記ユーザ特定情報一時記憶手段（ユーザ特定情報一時記憶手段２３２２ｈ−１）と、前記遊技進行推移一時記憶手段（遊技履歴情報一時記憶手段２３２２ｆ−１）と、前記コード情報出力制御手段（ＱＲコード発行制御手段２３２２ｇ）と、を有することを特徴とする遊技機（パチンコ遊技機１００）である。
【手続補正４】
【補正対象書類名】明細書
【補正対象項目名】０００５
【補正方法】変更
【補正の内容】
【０００５】
本態様に係る遊技機によれば、ユーザの遊技機結果を蓄積することへの興味を高めることができるので、射幸心を煽ることなく遊技機の稼働率向上を図ることができるという効果を奏する。